(57)【要約】表示パネル駆動装置（１０）は、縦列接続された複数のフリップフロップ（１０１＿１〜１０１＿Ｎ）を有し、初段のフリップフロップ（１０１＿１）が初期信号（ＳＡＣＴ１）でセットされ、第１のクロック信号（ＣＬＫ１）に同期して動作するリングカウンタ回路（１００）と、縦列接続された複数のフリップフロップ（１５１＿１〜１５１＿Ｍ）を有し、初段のフリップフロップ（１５１＿１）が前記初期信号（ＳＡＣＴ１）でセットされ、前記第１のクロック信号（ＣＬＫ１）よりも低い周波数の第２のクロック信号（ＣＬＫ２）に同期して動作するシフトレジスタ（１５０）と、前記リングカウンタ回路（１００）のいずれか１つの出力と前記シフトレジスタ（１５０）のいずれか１つの出力とを論理演算して、表示パネルの走査線駆動信号（ＯＵＴ）を生成する出力部（２００）とを備えている。
2012014361.tif 000002
【特許請求の範囲】
【請求項１】
縦列接続された複数のフリップフロップを有し、初段のフリップフロップが初期信号でセットされ、第１のクロック信号に同期して動作する第１のリングカウンタを有し、前記複数のフリップフロップの出力を用いた信号を出力するリングカウンタ回路と、
縦列接続された複数のフリップフロップを有し、初段のフリップフロップが前記初期信号でセットされ、前記第１のクロック信号よりも低い周波数の第２のクロック信号に同期して動作するシフトレジスタと、
前記リングカウンタ回路のいずれか１つの出力と前記シフトレジスタのいずれか１つの出力とを論理演算して、表示パネルの走査線駆動信号を生成する出力部とを備えている
ことを特徴とする表示パネル駆動装置。
【請求項２】
請求項１の表示パネル駆動装置において、
前記第１のクロック信号を分周して前記第２のクロック信号を生成する分周回路を備えている
ことを特徴とする表示パネル駆動装置。
【請求項３】
請求項１の表示パネル駆動装置において、
前記第２のクロック信号は、前記第１のリングカウンタにおけるいずれか１つのフリップフロップの出力である
ことを特徴とする表示パネル駆動装置。
【請求項４】
請求項１の表示パネル駆動装置において、
前記第１のリングカウンタおよび前記シフトレジスタはそれぞれ、共通の制御信号に応じて初段のフリップフロップおよびシフト方向が切り替え可能に構成されている
ことを特徴とする表示パネル駆動装置。
【請求項５】
請求項１の表示パネル駆動装置において、
前記リングカウンタ回路は、制御信号に応じて、前記複数のフリップフロップの各出力端と当該リングカウンタ回路の各出力端とをストレート接続するかリバース接続するかを切り替える接続切替部を有するものであり、
前記シフトレジスタは、前記制御信号に応じて初段のフリップフロップおよびシフト方向が切り替え可能に構成されている
ことを特徴とする表示パネル駆動装置。
【請求項６】
請求項１の表示パネル駆動装置において、
前記シフトレジスタは、制御信号に応じて、前記複数のフリップフロップの各出力端と当該シフトレジスタの各出力端とをストレート接続するかリバース接続するかを切り替える接続切替部を有するものであり、
前記第１のリングカウンタは、前記制御信号に応じて初段のフリップフロップおよびシフト方向が切り替え可能に構成されている
ことを特徴とする表示パネル駆動装置。
【請求項７】
請求項１の表示パネル駆動装置において、
前記リングカウンタ回路は、制御信号に応じて、前記複数のフリップフロップの各出力端と当該リングカウンタ回路の各出力端とをストレート接続するかリバース接続するかを切り替える接続切替部を有するものであり、
前記シフトレジスタは、前記制御信号に応じて、前記複数のフリップフロップの各出力端と当該シフトレジスタの各出力端とをストレート接続するかリバース接続するかを切り替える接続切替部を有するものである
ことを特徴とする表示パネル駆動装置。
【請求項８】
請求項１の表示パネル駆動装置において、
前記第１のリングカウンタをリセットするリセット回路を備えている
ことを特徴とする表示パネル駆動装置。
【請求項９】
請求項１乃至８のうちいずれか１つの表示パネル駆動装置において、
前記リングカウンタ回路は、
縦列接続された複数のフリップフロップを有し、初段のフリップフロップが前記初期信号でセットされ、前記第１のクロック信号よりも低い周波数の第３のクロック信号に同期して動作する第２のリングカウンタと、
前記第１のリングカウンタのいずれか１つの出力と、前記第２のリングカウンタのいずれか１つの出力とを論理演算して、当該リングカウンタ回路の出力を生成する出力部とを有している
ことを特徴とする表示パネル駆動装置。
【請求項１０】
請求項１乃至８のうちいずれか１つの表示パネル駆動装置において、
前記リングカウンタ回路は、それぞれ異なる周波数のクロック信号に同期して動作する、前記第１のリングカウンタを含む、複数のリングカウンタを有するものであり、前記複数のリングカウンタのそれぞれのいずれか１つの出力を論理演算し、その論理演算結果を、当該リングカウンタ回路のいずれか１つの出力とする
ことを特徴とする表示パネル駆動装置。
【発明の詳細な説明】
【技術分野】
【０００１】
本発明は、表示パネル駆動装置に関し、特に、表示パネルの走査線駆動信号の生成に関する。
【背景技術】
【０００２】
近年、プラズマディスプレイパネル、液晶表示パネル、エレクトロルミネッセンスパネル等の表示パネルが多くの電子機器に用いられている。特に、デジタルテレビ装置には、１０００本以上の走査線を有する高精細の表示パネルが用いられる。【０００３】
一般に、表示パネルでは走査線を順次駆動することでフレームが表示される。走査線の順次駆動は、走査線の本数分のフリップフロップで構成されたシフトレジスタを用いて実現することができる。しかし、かかる構成のシフトレジスタをデジタルテレビ装置に適用すると、１０００個以上のフリップフロップが必要となって表示パネル駆動装置の回路規模およびコストが増大してしまう。そこで、１個のフリップフロップで２本の走査線を駆動するようにして、必要なフリップフロップの総数を半減している（例えば、特許文献１参照）。
【先行技術文献】
【特許文献】
【０００４】
【特許文献１】特開２００２−１３２２０３号公報
【発明の概要】
【発明が解決しようとする課題】
【０００５】
上記の従来技術によると、フリップフロップの総数を半減させることができるが、それでもなお５００個以上必要である。さらに、今後、表示パネルの高精細化が進むと、フリップフロップの必要個数が増え続け、回路規模はますます大きくなってしまう。【０００６】
かかる点に鑑みて、本発明は、回路面積の小さな表示パネル駆動装置を提供することを課題とする。
【課題を解決するための手段】
【０００７】
上記課題を解決するため本発明によって次のような解決手段を講じた。例えば、表示パネル駆動装置は、縦列接続された複数のフリップフロップを有し、初段のフリップフロップが初期信号でセットされ、第１のクロック信号に同期して動作する第１のリングカウンタを有し、複数のフリップフロップの出力を用いた信号を出力するリングカウンタ回路と、縦列接続された複数のフリップフロップを有し、初段のフリップフロップが初期信号でセットされ、第１のクロック信号よりも低い周波数の第２のクロック信号に同期して動作するシフトレジスタと、リングカウンタ回路のいずれか１つの出力とシフトレジスタのいずれか１つの出力とを論理演算して、表示パネルの走査線駆動信号を生成する出力部とを備えている。【０００８】
これによると、最大でリングカウンタおよびシフトレジスタのそれぞれのフリップフロップの個数の積に相当する本数の走査線駆動信号を生成することができる。換言すると、フリップフロップの総数は、走査線駆動信号の本数の平方根オーダーで済む。【０００９】
リングカウンタ回路およびシフトレジスタはそれぞれ、共通の制御信号に応じて初段のフリップフロップおよびシフト方向が切り替え可能に構成されていてもよい。あるいは、リングカウンタ回路およびシフトレジスタのいずれか一方は、制御信号に応じて、複数のフリップフロップの各出力端と当該リングカウンタ回路または当該シフトレジスタの各出力端とをストレート接続するかリバース接続するかを切り替える接続切替部を有していてもよく、他方は、制御信号に応じて初段のフリップフロップおよびシフト方向が切り替え可能に構成されていてもよい。あるいは、リングカウンタ回路およびシフトレジスタのいずれも、制御信号に応じて、複数のフリップフロップの各出力端と当該シフトレジスタの各出力端とをストレート接続するかリバース接続するかを切り替える接続切替部を有していてもよい。【００１０】
表示パネル駆動装置は、第１のリングカウンタをリセットするリセット回路を備えている。これにより、任意のタイミングでリングカウンタをリセットすることができる。【００１１】
例えば、リングカウンタ回路は、縦列接続された複数のフリップフロップを有し、初段のフリップフロップが初期信号でセットされ、第１のクロック信号よりも低い周波数の第３のクロック信号に同期して動作する第２のリングカウンタと、第１のリングカウンタのいずれか１つの出力と、第２のリングカウンタのいずれか１つの出力とを論理演算して、当該リングカウンタ回路のいずれか１つの出力を生成する出力部とを有していてもよい。【００１２】
また、リングカウンタ回路は、それぞれ異なる周波数のクロック信号に同期して動作する、第１のリングカウンタを含む、複数のリングカウンタを有するものであり、複数のリングカウンタのそれぞれのいずれか１つの出力を論理演算し、その論理演算結果を、当該リングカウンタ回路のいずれか１つの出力としてもよい。
【発明の効果】
【００１３】
本発明によると、表示パネル駆動装置の回路面積を小さくすることができる。
【図面の簡単な説明】
【００１４】
【図１】図１は、第１の実施形態に係る表示パネル駆動装置の構成図である。
【図２】図２は、図１の表示パネル駆動装置のタイミングチャートである。
【図３】図３は、図１の表示パネル駆動装置の別の構成図である。
【図４】図４は、図１の表示パネル駆動装置の別の構成図である。
【図５】図５は、図１の表示パネル駆動装置の別の構成図である。
【図６】図６は、第２の実施形態に係る表示パネル駆動装置の構成図である。
【図７】図７は、第３の実施形態に係る表示パネル駆動装置の構成図である。
【図８】図８は、第４の実施形態に係るリングカウンタ回路の構成図である。
【図９】図９は、図８のリングカウンタ回路のタイミングチャートである。
【発明を実施するための形態】
【００１５】
＜第１の実施形態＞
図１は、第１の実施形態に係る表示パネル駆動装置の構成図である。表示パネル駆動装置１０は、図中の左上から右下の順に走査線駆動信号ＯＵＴを出力する。例えば、ＯＵＴは１００本程度であり、表示パネル駆動装置１０を複数個縦列接続することで１０００本以上の走査線が順次駆動される。前段の表示パネル駆動装置１０から出力されたＳＡＣＴ２は次段の表示パネル駆動装置１０のＳＡＣＴ１となる。
【００１６】
表示パネル駆動装置１０は、リングカウンタ回路１００と、シフトレジスタ１５０と、ＯＵＴを生成する複数の出力部２００とで構成することができる。リングカウンタ回路１００は、例えば１つのリングカウンタ（第１のリングカウンタ）を有するものであり、そのリングカウンタは、縦列接続されたＮ段のフリップフロップ１０１＿１〜１０１＿Ｎで構成することができる。フリップフロップ１０１＿１〜１０１＿Ｎは、クロック信号ＣＬＫ１に同期して動作し、それぞれ信号Ｃ１〜ＣＮを出力する。信号Ｃ１〜ＣＮは、リングカウンタ回路１００からそのまま出力される。初段のフリップフロップ１０１＿１には、初期信号としての走査線アクティブ信号ＳＡＣＴ１と最終段のフリップフロップ１０１＿Ｎの出力ＣＮとを論理合成した信号が入力される。なお、初段のフリップフロップ１０１＿１がセット端子を有する場合には、ＳＡＣＴ１でフリップフロップ１０１＿１を直接セットしてもよい。
【００１７】
シフトレジスタ１５０は、縦列接続されたＭ段のフリップフロップ１５１＿１〜１５１＿Ｍで構成することができる。フリップフロップ１５１＿１〜１５１＿Ｍは、クロック信号ＣＬＫ２に同期して動作し、それぞれ信号Ｒ１〜ＲＭを出力する。ＣＬＫ２は、ＣＬＫ１よりも低い周波数の信号であり、例えばＣＬＫ１をＮ分周した信号である。また、図３に示すように、分周回路１０４でＣＬＫ１をＮ分周してＣＬＫ２を生成してもよい（図３参照）。あるいは、図４に示すように、リングカウンタを構成するフリップフロップ１０１＿１〜１０１＿Ｎのうち、いずれか１つのフリップフロップの出力、例えばフリップフロップ１０１＿１の出力Ｃ１をＣＬＫ２としてもよい（図４参照）。図１に戻り、初段のフリップフロップ１５１＿１には、ＳＡＣＴ１が入力される。
【００１８】
出力部２００はそれぞれ同様の構成であるため、図中の左上の出力部２００の構成について説明する。出力部２００は、論理回路２０１とレベルシフタ２０２とで構成することができる。論理回路２０１は、リングカウンタ回路１００の出力の１つである、フリップフロップ１０１＿１の出力Ｃ１と、シフトレジスタ１５０の出力の１つである、フリップフロップ１５１＿１の出力Ｒ１とを論理演算するＮＡＮＤで構成することができる。右下の出力部２００における論理回路２０１は、ＣＮとＲＭとを論理演算した結果をＳＡＣＴ２として出力する。また、ＣＮとＲＭとを論理演算した結果とＳＡＣＴ２間にフリップフロップを挿入し、ＳＡＣＴ２の出力タイミングを調整してもよい。論理回路２０１とレベルシフタ２０２との間には貫通電流防止回路を接続してもよい。
【００１９】
次に、本実施形態に係る表示パネル駆動装置１０の動作について、図２を参照して説明する。図２におけるＯＵＴ１およびＯＵＴＭＮは、図１における左上のＯＵＴおよび右下のＯＵＴにそれぞれ対応している。フリップフロップ１０１＿１がＳＡＣＴ１でセットされ、ＣＬＫ１に同期してＣ１〜ＣＮが順次Ｈレベルとなる。また、フリップフロップ１５１＿１がＳＡＣＴ１でセットされ、ＣＬＫ２に同期して、Ｒ１〜ＲＭが順次Ｈレベルとなる。そして、Ｃ１〜ＣＮとＲ１〜ＲＭとがそれぞれ論理演算されてＯＵＴ１〜ＯＵＴＭＮが順次Ｌレベルとなる。
【００２０】
以上、本実施形態によると、Ｎ＋Ｍ個のフリップフロップでＮ×Ｍ本の走査線駆動信号を生成することができる。
【００２１】
なお、図５に示すように、リングカウンタ回路１００内のリングカウンタは、冗長なフリップフロップを１個有していてもよい。この場合、出力部２００の総数は変わらないため、図５における行方向に配置された出力部２００のうちの１個を省略すればよい。これにより、（Ｎ＋１）＋Ｍ個のフリップフロップでＮ×Ｍ本の走査線駆動信号を生成することができる。なお、リングカウンタにおけるフリップフロップの冗長数を２個以上にしてもよい。
【００２２】
＜第２の実施形態＞
図６は、第２の実施形態に係る表示パネル駆動装置の構成図である。以下、第１の実施形態との相違点を説明する。
【００２３】
リングカウンタ回路１１０は、制御信号ＦＲに応じて、フリップフロップ１０１＿１〜１０１＿Ｎの各出力端１１１＿１〜１１１＿Ｎとリングカウンタ回路１１０の各出力端１１２＿１〜１１２＿Ｎとをストレート接続するかリバース接続するかを切り替える接続切替部１１３を有する。接続切替部１１３は、複数のセレクタ１１３＿１〜１１３＿Ｎで構成することができる。
【００２４】
セレクタ１１３＿１は、ＦＲに応じて、出力端１１１＿１および出力端１１１＿Ｎのいずれか一方を出力端１１２＿１に選択的に接続する。セレクタ１１３＿２は、ＦＲに応じて、出力端１１１＿２および出力端１１１＿Ｎ−１のいずれか一方を出力端１１２＿２に選択的に接続する。セレクタ１１３＿Ｎ−１は、ＦＲに応じて、出力端１１１＿２および出力端１１１＿Ｎ−１のいずれか一方を出力端１１２＿Ｎ−１に選択的に接続する。セレクタ１１３＿Ｎは、ＦＲに応じて、出力端１１１＿１および出力端１１１＿Ｎのいずれか一方を出力端１１２＿Ｎに選択的に接続する。
【００２５】
シフトレジスタ１６０は、ＦＲに応じて、初段のフリップフロップをフリップフロップ１６１＿１および１６１＿Ｍのいずれかに切り替え可能に構成されている。また、シフトレジスタ１６０は、ＦＲに応じてシフト方向が切り替え可能に構成されている。シフトレジスタ１６０は、フリップフロップ１６１＿１〜１６１＿ＭのそれぞれのＤ１端子に入力される信号で順方向シフトを行う。一方、フリップフロップ１６１＿Ｍ〜１６１＿１のそれぞれのＤ２端子に入力される信号で逆方向シフトを行う。
【００２６】
セレクタ１２０は、ＦＲに応じて、ＯＵＴを最初に出力する出力部２００における論理回路２０１の出力およびＯＵＴを最後に出力する出力部２００における論理回路２０１の出力のいずれかを選択してＳＡＣＴ２として出力する。
【００２７】
次に、本実施形態に係る表示パネル駆動装置１１の動作について説明する。順方向シフトの場合、接続切替部１１３は、出力端１１１＿１〜１１１＿Ｎと出力端１１２＿１〜１１２＿Ｎとをストレート接続する。具体的に、セレクタ１１１＿１は、出力端１１１＿１と出力端１１２＿１とを接続する。他のセレクタ１１３＿２〜１１３＿Ｎは、出力端１１１＿２〜１１１＿Ｎと出力端１１２＿２〜１１２＿Ｎとをそれぞれ接続する。
【００２８】
逆方向シフトの場合、接続切替部１１３は、出力端１１１＿１〜１１１＿Ｎと出力端１１２＿１〜１１２＿Ｎとをリバース接続する。具体的に、セレクタ１１３＿１は、出力端１１１＿Ｎと出力端１１２＿１とを接続する。他のセレクタ１１３＿２〜１１３＿Ｎは、出力端１１１＿Ｎ−１〜１１１＿１と出力端１１２＿２〜１１２＿Ｎとをそれぞれ接続する。
【００２９】
以上、本実施形態によると、ＯＵＴの出力順を反転することができる。なお、リングカウンタ回路１１０の接続切替部１１３を省略して、ＦＲに応じて、初段のフリップフロップとしてフリップフロップ１０１＿１および１０１＿Ｎを切り替え、かつシフト方向を切り替えるようにしてもよい。あるいは、シフトレジスタ１６０に接続切替部１１３と同様の接続切替部を設けてもよい。あるいは、リングカウンタ回路１１０の接続切替部１１３を省略して、ＦＲに応じて、初段のフリップフロップとしてフリップフロップ１０１＿１および１０１＿Ｎを切り替え、かつシフト方向を切り替えるようにするとともに、シフトレジスタ１６０に接続切替部１１３と同様の接続切替部を設けてもよい。
【００３０】
＜第３の実施形態＞
図７は、第３の実施形態に係る表示パネル駆動装置の構成図である。以下、第１の実施形態との相違点を説明する。
【００３１】
リセット回路１４０は、例えば、表示パネル駆動装置１２からＯＵＴが最終的に出力されるタイミングでリングカウンタ回路１００内のリングカウンタ、シフトレジスタ１５０および分周回路１０４をリセットする。また、リセット回路１４０は、フリップフロップなどを挿入し、タイミングを調整してもよい。なお、リセット回路１４０は、いずれかのＯＵＴが出力されたタイミングでリセット信号を出力してもよく、任意のタイミングで与えられる外部信号を受けてからリセット信号を出力してもよい。また、リセット回路１４０は、リングカウンタのみをリセットしてもよい。
【００３２】
なお、上記各実施形態において、リングカウンタ回路は、２つのリングカウンタを備えていてもよい。以下、リングカウンタ回路を、２つのリングカウンタで構成した例について説明する。
【００３３】
＜第４の実施形態＞
図８は、第４の実施形態に係るリングカウンタ回路の構成図である。図８に示すように、リングカウンタ回路１２０は、第１のリングカウンタ１３０と、第２のリングカウンタ１７０と、出力信号Ｃを生成する複数の出力部２１０とで構成することができる。
【００３４】
第１のリングカウンタ１３０は、縦列接続されたｉ段のフリップフロップ１３１＿１〜１３１＿ｉで構成することができる。フリップフロップ１３１＿１〜１３１＿ｉは、クロック信号ＣＬＫ１に同期して動作し、それぞれＱ１〜Ｑｉを出力する。初段のフリップフロップ１３１＿１には、初期信号としての走査線アクティブ信号ＳＡＣＴ１と最終段のフリップフロップ１３１＿ｉの出力Ｑｉとを論理合成した信号が入力される。なお、初段のフリップフロップ１３１＿１がセット端子を有する場合には、ＳＡＣＴ１でフリップフロップ１３１＿１を直接セットしてもよい。
【００３５】
第２のリングカウンタ１７０は、縦列接続されたｊ段のフリップフロップ１７１＿１〜１７１＿ｊで構成することができる。フリップフロップ１７１＿１〜１７１＿ｊは、クロック信号ＣＬＫ３に同期して動作し、それぞれＰ１〜Ｐｊを出力する。ＣＬＫ３は、ＣＬＫ１よりも低い周波数の信号であり、例えばＣＬＫ１をｉ分周した信号である。なお、図３に示す分周回路１０４を設けて、ＣＬＫ１をｉ分周してＣＬＫ３を生成してもよい（図３参照）。あるいは、フリップフロップ１３１＿１の出力Ｑ１をＣＬＫ３としてもよい。つまり、第１のリングカウンタ１３０におけるいずれか１つのフリップフロップの出力を、ＣＬＫ３とすることができる。
【００３６】
図８に戻り、初段のフリップフロップ１７１＿１には、初期信号としての走査線アクティブ信号ＳＡＣＴ１と最終段のフリップフロップ１７１＿ｊの出力Ｐｊとを論理合成した信号が入力される。なお、初段のフリップフロップ１７１＿１がセット端子を有する場合には、ＳＡＣＴ１でフリップフロップ１７１＿１を直接セットしてもよい。
【００３７】
出力部２１０はそれぞれ同様の構成であるため、図中の左上の出力部２１０の構成について説明する。出力部２１０は、フリップフロップ１３１＿１の出力Ｑ１とフリップフロップ１７１＿１の出力Ｐ１とを論理演算するＡＮＤ回路で構成することができる。つまり、リングカウンタ回路１２０は、フリップフロップ１３１＿１〜１３１＿ｉの出力Ｑ１〜Ｑｉおよびフリップフロップ１７１＿１〜１７１＿ｊの出力Ｐ１〜Ｐｊを論理演算して、その論理演算した結果を、出力信号Ｃとして出力する。
【００３８】
次に、本実施形態に係るリングカウンタ回路１２０の動作について、図９を参照して説明する。図９におけるＣ１およびＣｊｉは、図８における左上のＣおよび右下のＣにそれぞれ対応している。フリップフロップ１３１＿１がＳＡＣＴ１でセットされ、ＣＬＫ１に同期してＱ１〜Ｑｉが順次Ｈレベルとなる。また、フリップフロップ１７１＿１がＳＡＣＴ１でセットされ、ＣＬＫ３に同期して、Ｐ１〜Ｐｊが順次Ｈレベルとなる。そして、Ｑ１〜ＱｉとＰ１〜Ｐｊとがそれぞれ論理演算されてＣ１〜Ｃｊｉが順次Ｈレベルとなる。
【００３９】
以上、本実施形態によると、２つのリングカウンタ１３０，１７０に含まれる、ｉ＋ｊ個のフリップフロップで、ｉ×ｊの個数の信号を出力するリングカウンタ回路１２０を構成することができる。したがって、本実施形態のように２次元で構成されたリングカウンタ回路１２０を、図１のリングカウンタ回路１００に適用することで、Ｍ＋ｉ＋ｊ個のフリップフロップで、Ｎ（Ｎ＝ｉ×ｊ）×Ｍ本の走査線駆動信号を生成することができる。
【００４０】
なお、図５に示すように、リングカウンタ回路１００内のリングカウンタには冗長なフリップフリップが含まれていてもよいため、本実施形態において、第１のリングカウンタ１３０は冗長なフリップフロップを１個有していてもよい。この場合、出力部２１０の総数は変わらないため、図８における行方向に配置された出力部２１０のうちの１個を省略すればよい。これにより、（ｉ＋１）＋ｊ個のフリップフロップでｉ×ｊの個数の信号を出力するリングカウンタ回路１２０を構成することができる。なお、第１のリングカウンタ１３０におけるフリップフロップの冗長数を２個以上にしてもよい。
【００４１】
また、本実施形態のリングカウンタ回路１２０を、図６に示すリングカウンタ回路１１０に適用した場合、制御信号ＦＲに応じて、リングカウンタ回路１２０の出力Ｃの出力順を反転させるような構成とすればよい。
【００４２】
また、本実施形態のリングカウンタ回路１２０を、図７に示すリングカウンタ回路１００に適用した場合、リセット回路１４０によって、第１および第２のリングカウンタ１３０，１７０の両方をリセットすればよい。
【００４３】
また、本実施形態では、リングカウンタ回路１２０を２つのリングカウンタ１３０，１７０で構成したが、リングカウンタ回路１２０を、３つ以上のリングカウンタ（例えば、第１〜第３のリングカウンタ）で構成することは容易である。この場合、第１〜第３のリングカウンタはそれぞれ、異なる周波数のクロック信号に同期して動作する。そして、出力部２１０において、第１〜第３のリングカウンタのそれぞれの１つの出力を論理演算すればよい。この場合、その論理演算の結果が、リングカウンタ回路１２０の１つの出力となる。これによると、リングカウンタ回路に使用されるフリップフロップの個数は、リングカウンタ回路の出力数の累乗根のオーダーとなる。
【００４４】
また、上記各実施形態において、各構成要素は上述した信号と逆論理の信号で動作してもよい。
【産業上の利用可能性】
【００４５】
本発明に係る表示パネル駆動装置は、回路面積の縮小化が可能であるため、各種フラットパネルディスプレイ搭載のテレビ装置に有用である。
【符号の説明】
【００４６】
１０，１１，１２            表示パネル駆動装置
１００，１１０，１２０      リングカウンタ回路
１３０                      第１のリングカウンタ
１７０                      第２のリングカウンタ
１０４                      分周回路
１１１＿１〜１１１＿Ｎ      出力端
１１２＿１〜１１２＿Ｎ      出力端
１１３                      接続切替部
１４０                      リセット回路
１５０，１６０              シフトレジスタ
２００，２１０              出力部
【図１】
2012014361.tif 000003
【図２】
2012014361.tif 000004
【図３】
2012014361.tif 000005
【図４】
2012014361.tif 000006
【図５】
2012014361.tif 000007
【図６】
2012014361.tif 000008
【図７】
2012014361.tif 000009
【図８】
2012014361.tif 000010
【図９】
2012014361.tif 000011
【手続補正書】
【提出日】平成24年11月16日(2012.11.16)
【手続補正１】
【補正対象書類名】明細書
【補正対象項目名】全文
【補正方法】変更
【補正の内容】
【発明の詳細な説明】
【技術分野】
【０００１】
本発明は、表示パネル駆動装置に関し、特に、表示パネルの走査線駆動信号の生成に関する。
【背景技術】
【０００２】
近年、プラズマディスプレイパネル、液晶表示パネル、エレクトロルミネッセンスパネル等の表示パネルが多くの電子機器に用いられている。特に、デジタルテレビ装置には、１０００本以上の走査線を有する高精細の表示パネルが用いられる。
【０００３】
一般に、表示パネルでは走査線を順次駆動することでフレームが表示される。走査線の順次駆動は、走査線の本数分のフリップフロップで構成されたシフトレジスタを用いて実現することができる。しかし、かかる構成のシフトレジスタをデジタルテレビ装置に適用すると、１０００個以上のフリップフロップが必要となって表示パネル駆動装置の回路規模およびコストが増大してしまう。そこで、１個のフリップフロップで２本の走査線を駆動するようにして、必要なフリップフロップの総数を半減している（例えば、特許文献１参照）。
【先行技術文献】
【特許文献】
【０００４】
【特許文献１】特開２００２−１３２２０３号公報
【発明の概要】
【発明が解決しようとする課題】
【０００５】
上記の従来技術によると、フリップフロップの総数を半減させることができるが、それでもなお５００個以上必要である。さらに、今後、表示パネルの高精細化が進むと、フリップフロップの必要個数が増え続け、回路規模はますます大きくなってしまう。
【０００６】
かかる点に鑑みて、本発明は、回路面積の小さな表示パネル駆動装置を提供することを課題とする。
【課題を解決するための手段】
【０００７】
上記課題を解決するため本発明によって次のような解決手段を講じた。例えば、表示パネル駆動装置は、縦列接続された複数のフリップフロップを有し、初段のフリップフロップが初期信号でセットされ、第１のクロック信号に同期して動作する第１のリングカウンタを有し、複数のフリップフロップの出力を用いた信号を出力するリングカウンタ回路と、縦列接続された複数のフリップフロップを有し、初段のフリップフロップが初期信号でセットされ、第１のクロック信号よりも低い周波数の第２のクロック信号に同期して動作するシフトレジスタと、リングカウンタ回路のいずれか１つの出力とシフトレジスタのいずれか１つの出力とを論理演算して、表示パネルの走査線駆動信号を生成する出力部とを備えている。
【０００８】
これによると、最大でリングカウンタ回路およびシフトレジスタのそれぞれのフリップフロップの個数の積に相当する本数の走査線駆動信号を生成することができる。換言すると、フリップフロップの総数は、走査線駆動信号の本数の平方根オーダーで済む。
【０００９】
リングカウンタ回路およびシフトレジスタはそれぞれ、共通の制御信号に応じて初段のフリップフロップおよびシフト方向が切り替え可能に構成されていてもよい。あるいは、リングカウンタ回路およびシフトレジスタのいずれか一方は、制御信号に応じて、複数のフリップフロップの各出力端と当該リングカウンタ回路または当該シフトレジスタの各出力端とをストレート接続するかリバース接続するかを切り替える接続切替部を有していてもよく、他方は、制御信号に応じて初段のフリップフロップおよびシフト方向が切り替え可能に構成されていてもよい。あるいは、リングカウンタ回路およびシフトレジスタのいずれも、制御信号に応じて、複数のフリップフロップの各出力端と当該リングカウンタ回路および当該シフトレジスタの各出力端とをストレート接続するかリバース接続するかを切り替える接続切替部を有していてもよい。
【００１０】
表示パネル駆動装置は、第１のリングカウンタをリセットするリセット回路を備えている。これにより、任意のタイミングで第１のリングカウンタをリセットすることができる。
【００１１】
例えば、リングカウンタ回路は、縦列接続された複数のフリップフロップを有し、初段のフリップフロップが初期信号でセットされ、第１のクロック信号よりも低い周波数の第３のクロック信号に同期して動作する第２のリングカウンタと、第１のリングカウンタのいずれか１つの出力と、第２のリングカウンタのいずれか１つの出力とを論理演算して、当該リングカウンタ回路のいずれか１つの出力を生成する出力部とを有していてもよい。
【００１２】
また、リングカウンタ回路は、それぞれ異なる周波数のクロック信号に同期して動作する、第１のリングカウンタを含む、複数のリングカウンタを有するものであり、複数のリングカウンタのそれぞれのいずれか１つの出力を論理演算し、その論理演算結果を、当該リングカウンタ回路のいずれか１つの出力としてもよい。
【発明の効果】
【００１３】
本発明によると、表示パネル駆動装置の回路面積を小さくすることができる。
【図面の簡単な説明】
【００１４】
【図１】図１は、第１の実施形態に係る表示パネル駆動装置の構成図である。
【図２】図２は、図１の表示パネル駆動装置のタイミングチャートである。
【図３】図３は、図１の表示パネル駆動装置の別の構成図である。
【図４】図４は、図１の表示パネル駆動装置の別の構成図である。
【図５】図５は、図１の表示パネル駆動装置の別の構成図である。
【図６】図６は、第２の実施形態に係る表示パネル駆動装置の構成図である。
【図７】図７は、第３の実施形態に係る表示パネル駆動装置の構成図である。
【図８】図８は、第４の実施形態に係るリングカウンタ回路の構成図である。
【図９】図９は、図８のリングカウンタ回路のタイミングチャートである。
【発明を実施するための形態】
【００１５】
＜第１の実施形態＞
図１は、第１の実施形態に係る表示パネル駆動装置の構成図である。表示パネル駆動装置１０は、図中の左上から右下の順に走査線駆動信号ＯＵＴを出力する。例えば、ＯＵＴは１００本程度であり、表示パネル駆動装置１０を複数個縦列接続することで１０００本以上の走査線が順次駆動される。前段の表示パネル駆動装置１０から出力されたＳＡＣＴ２は次段の表示パネル駆動装置１０のＳＡＣＴ１となる。
【００１６】
表示パネル駆動装置１０は、リングカウンタ回路１００と、シフトレジスタ１５０と、ＯＵＴを生成する複数の出力部２００とで構成することができる。リングカウンタ回路１００は、例えば１つのリングカウンタ（第１のリングカウンタ）を有するものであり、そのリングカウンタは、縦列接続されたＮ段のフリップフロップ１０１＿１〜１０１＿Ｎで構成することができる。フリップフロップ１０１＿１〜１０１＿Ｎは、クロック信号ＣＬＫ１に同期して動作し、それぞれ信号Ｃ１〜ＣＮを出力する。信号Ｃ１〜ＣＮは、リングカウンタ回路１００からそのまま出力される。初段のフリップフロップ１０１＿１には、初期信号としての走査線アクティブ信号ＳＡＣＴ１と最終段のフリップフロップ１０１＿Ｎの出力ＣＮとを論理合成した信号が入力される。なお、初段のフリップフロップ１０１＿１がセット端子を有する場合には、ＳＡＣＴ１でフリップフロップ１０１＿１を直接セットしてもよい。
【００１７】
シフトレジスタ１５０は、縦列接続されたＭ段のフリップフロップ１５１＿１〜１５１＿Ｍで構成することができる。フリップフロップ１５１＿１〜１５１＿Ｍは、クロック信号ＣＬＫ２に同期して動作し、それぞれ信号Ｒ１〜ＲＭを出力する。ＣＬＫ２は、ＣＬＫ１よりも低い周波数の信号であり、例えばＣＬＫ１をＮ分周した信号である。また、図３に示すように、分周回路１０４でＣＬＫ１をＮ分周してＣＬＫ２を生成してもよい（図３参照）。あるいは、図４に示すように、リングカウンタを構成するフリップフロップ１０１＿１〜１０１＿Ｎのうち、いずれか１つのフリップフロップの出力、例えばフリップフロップ１０１＿１の出力Ｃ１をＣＬＫ２としてもよい（図４参照）。図１に戻り、初段のフリップフロップ１５１＿１には、ＳＡＣＴ１が入力される。
【００１８】
出力部２００はそれぞれ同様の構成であるため、図中の左上の出力部２００の構成について説明する。出力部２００は、論理回路２０１とレベルシフタ２０２とで構成することができる。論理回路２０１は、リングカウンタ回路１００の出力の１つである、フリップフロップ１０１＿１の出力Ｃ１と、シフトレジスタ１５０の出力の１つである、フリップフロップ１５１＿１の出力Ｒ１とを論理演算するＮＡＮＤで構成することができる。右下の出力部２００における論理回路２０１は、ＣＮとＲＭとを論理演算した結果をＳＡＣＴ２として出力する。また、ＣＮとＲＭとを論理演算した結果とＳＡＣＴ２間にフリップフロップを挿入し、ＳＡＣＴ２の出力タイミングを調整してもよい。論理回路２０１とレベルシフタ２０２との間には貫通電流防止回路を接続してもよい。
【００１９】
次に、本実施形態に係る表示パネル駆動装置１０の動作について、図２を参照して説明する。図２におけるＯＵＴ１およびＯＵＴＭＮは、図１における左上のＯＵＴおよび右下のＯＵＴにそれぞれ対応している。フリップフロップ１０１＿１がＳＡＣＴ１でセットされ、ＣＬＫ１に同期してＣ１〜ＣＮが順次Ｈレベルとなる。また、フリップフロップ１５１＿１がＳＡＣＴ１でセットされ、ＣＬＫ２に同期して、Ｒ１〜ＲＭが順次Ｈレベルとなる。そして、Ｃ１〜ＣＮとＲ１〜ＲＭとがそれぞれ論理演算されてＯＵＴ１〜ＯＵＴＭＮが順次Ｌレベルとなる。
【００２０】
以上、本実施形態によると、Ｎ＋Ｍ個のフリップフロップでＮ×Ｍ本の走査線駆動信号を生成することができる。
【００２１】
なお、図５に示すように、リングカウンタ回路１００内のリングカウンタは、冗長なフリップフロップを１個有していてもよい。この場合、出力部２００の総数は変わらないため、図５における行方向に配置された出力部２００のうちの１個を省略すればよい。これにより、（Ｎ＋１）＋Ｍ個のフリップフロップでＮ×Ｍ本の走査線駆動信号を生成することができる。なお、リングカウンタにおけるフリップフロップの冗長数を２個以上にしてもよい。
【００２２】
＜第２の実施形態＞
図６は、第２の実施形態に係る表示パネル駆動装置の構成図である。以下、第１の実施形態との相違点を説明する。
【００２３】
リングカウンタ回路１１０は、制御信号ＦＲに応じて、フリップフロップ１０１＿１〜１０１＿Ｎの各出力端１１１＿１〜１１１＿Ｎとリングカウンタ回路１１０の各出力端１１２＿１〜１１２＿Ｎとをストレート接続するかリバース接続するかを切り替える接続切替部１１３を有する。接続切替部１１３は、複数のセレクタ１１３＿１〜１１３＿Ｎで構成することができる。
【００２４】
セレクタ１１３＿１は、ＦＲに応じて、出力端１１１＿１および出力端１１１＿Ｎのいずれか一方を出力端１１２＿１に選択的に接続する。セレクタ１１３＿２は、ＦＲに応じて、出力端１１１＿２および出力端１１１＿Ｎ−１のいずれか一方を出力端１１２＿２に選択的に接続する。セレクタ１１３＿Ｎ−１は、ＦＲに応じて、出力端１１１＿２および出力端１１１＿Ｎ−１のいずれか一方を出力端１１２＿Ｎ−１に選択的に接続する。セレクタ１１３＿Ｎは、ＦＲに応じて、出力端１１１＿１および出力端１１１＿Ｎのいずれか一方を出力端１１２＿Ｎに選択的に接続する。
【００２５】
シフトレジスタ１６０は、ＦＲに応じて、初段のフリップフロップをフリップフロップ１６１＿１および１６１＿Ｍのいずれかに切り替え可能に構成されている。また、シフトレジスタ１６０は、ＦＲに応じてシフト方向が切り替え可能に構成されている。シフトレジスタ１６０は、フリップフロップ１６１＿１〜１６１＿ＭのそれぞれのＤ１端子に入力される信号で順方向シフトを行う。一方、フリップフロップ１６１＿Ｍ〜１６１＿１のそれぞれのＤ２端子に入力される信号で逆方向シフトを行う。
【００２６】
セレクタ１２０は、ＦＲに応じて、ＯＵＴを最初に出力する出力部２００における論理回路２０１の出力およびＯＵＴを最後に出力する出力部２００における論理回路２０１の出力のいずれかを選択してＳＡＣＴ２として出力する。
【００２７】
次に、本実施形態に係る表示パネル駆動装置１１の動作について説明する。順方向シフトの場合、接続切替部１１３は、出力端１１１＿１〜１１１＿Ｎと出力端１１２＿１〜１１２＿Ｎとをストレート接続する。具体的に、セレクタ１１３＿１は、出力端１１１＿１と出力端１１２＿１とを接続する。他のセレクタ１１３＿２〜１１３＿Ｎは、出力端１１１＿２〜１１１＿Ｎと出力端１１２＿２〜１１２＿Ｎとをそれぞれ接続する。
【００２８】
逆方向シフトの場合、接続切替部１１３は、出力端１１１＿１〜１１１＿Ｎと出力端１１２＿１〜１１２＿Ｎとをリバース接続する。具体的に、セレクタ１１３＿１は、出力端１１１＿Ｎと出力端１１２＿１とを接続する。他のセレクタ１１３＿２〜１１３＿Ｎは、出力端１１１＿Ｎ−１〜１１１＿１と出力端１１２＿２〜１１２＿Ｎとをそれぞれ接続する。
【００２９】
以上、本実施形態によると、ＯＵＴの出力順を反転することができる。なお、リングカウンタ回路１１０の接続切替部１１３を省略して、ＦＲに応じて、初段のフリップフロップとしてフリップフロップ１０１＿１および１０１＿Ｎを切り替え、かつシフト方向を切り替えるようにしてもよい。あるいは、シフトレジスタ１６０に接続切替部１１３と同様の接続切替部を設けてもよい。あるいは、リングカウンタ回路１１０の接続切替部１１３を省略して、ＦＲに応じて、初段のフリップフロップとしてフリップフロップ１０１＿１および１０１＿Ｎを切り替え、かつシフト方向を切り替えるようにするとともに、シフトレジスタ１６０に接続切替部１１３と同様の接続切替部を設けてもよい。
【００３０】
＜第３の実施形態＞
図７は、第３の実施形態に係る表示パネル駆動装置の構成図である。以下、第１の実施形態との相違点を説明する。
【００３１】
リセット回路１４０は、例えば、表示パネル駆動装置１２からＯＵＴが最終的に出力されるタイミングでリングカウンタ回路１００内のリングカウンタ、シフトレジスタ１５０および分周回路１０４をリセットする。また、リセット回路１４０は、フリップフロップなどを挿入し、タイミングを調整してもよい。なお、リセット回路１４０は、いずれかのＯＵＴが出力されたタイミングでリセット信号を出力してもよく、任意のタイミングで与えられる外部信号を受けてからリセット信号を出力してもよい。また、リセット回路１４０は、リングカウンタのみをリセットしてもよい。
【００３２】
なお、上記各実施形態において、リングカウンタ回路は、２つのリングカウンタを備えていてもよい。以下、リングカウンタ回路を、２つのリングカウンタで構成した例について説明する。
【００３３】
＜第４の実施形態＞
図８は、第４の実施形態に係るリングカウンタ回路の構成図である。図８に示すように、リングカウンタ回路１８０は、第１のリングカウンタ１３０と、第２のリングカウンタ１７０と、出力信号Ｃを生成する複数の出力部２１０とで構成することができる。
【００３４】
第１のリングカウンタ１３０は、縦列接続されたｉ段のフリップフロップ１３１＿１〜１３１＿ｉで構成することができる。フリップフロップ１３１＿１〜１３１＿ｉは、クロック信号ＣＬＫ１に同期して動作し、それぞれＱ１〜Ｑｉを出力する。初段のフリップフロップ１３１＿１には、初期信号としての走査線アクティブ信号ＳＡＣＴ１と最終段のフリップフロップ１３１＿ｉの出力Ｑｉとを論理合成した信号が入力される。なお、初段のフリップフロップ１３１＿１がセット端子を有する場合には、ＳＡＣＴ１でフリップフロップ１３１＿１を直接セットしてもよい。
【００３５】
第２のリングカウンタ１７０は、縦列接続されたｊ段のフリップフロップ１７１＿１〜１７１＿ｊで構成することができる。フリップフロップ１７１＿１〜１７１＿ｊは、クロック信号ＣＬＫ３に同期して動作し、それぞれＰ１〜Ｐｊを出力する。ＣＬＫ３は、ＣＬＫ１よりも低い周波数の信号であり、例えばＣＬＫ１をｉ分周した信号である。なお、図３に示す分周回路１０４を設けて、ＣＬＫ１をｉ分周してＣＬＫ３を生成してもよい（図３参照）。あるいは、フリップフロップ１３１＿１の出力Ｑ１をＣＬＫ３としてもよい。つまり、第１のリングカウンタ１３０におけるいずれか１つのフリップフロップの出力を、ＣＬＫ３とすることができる。
【００３６】
図８に戻り、初段のフリップフロップ１７１＿１には、初期信号としての走査線アクティブ信号ＳＡＣＴ１と最終段のフリップフロップ１７１＿ｊの出力Ｐｊとを論理合成した信号が入力される。なお、初段のフリップフロップ１７１＿１がセット端子を有する場合には、ＳＡＣＴ１でフリップフロップ１７１＿１を直接セットしてもよい。
【００３７】
出力部２１０はそれぞれ同様の構成であるため、図中の左上の出力部２１０の構成について説明する。出力部２１０は、フリップフロップ１３１＿１の出力Ｑ１とフリップフロップ１７１＿１の出力Ｐ１とを論理演算するＡＮＤ回路で構成することができる。つまり、リングカウンタ回路１８０は、フリップフロップ１３１＿１〜１３１＿ｉの出力Ｑ１〜Ｑｉおよびフリップフロップ１７１＿１〜１７１＿ｊの出力Ｐ１〜Ｐｊを論理演算して、その論理演算した結果を、出力信号Ｃとして出力する。
【００３８】
次に、本実施形態に係るリングカウンタ回路１８０の動作について、図９を参照して説明する。図９におけるＣ１およびＣｊｉは、図８における左上のＣおよび右下のＣにそれぞれ対応している。フリップフロップ１３１＿１がＳＡＣＴ１でセットされ、ＣＬＫ１に同期してＱ１〜Ｑｉが順次Ｈレベルとなる。また、フリップフロップ１７１＿１がＳＡＣＴ１でセットされ、ＣＬＫ３に同期して、Ｐ１〜Ｐｊが順次Ｈレベルとなる。そして、Ｑ１〜ＱｉとＰ１〜Ｐｊとがそれぞれ論理演算されてＣ１〜Ｃｊｉが順次Ｈレベルとなる。
【００３９】
以上、本実施形態によると、２つのリングカウンタ１３０，１７０に含まれる、ｉ＋ｊ個のフリップフロップで、ｉ×ｊの個数の信号を出力するリングカウンタ回路１８０を構成することができる。したがって、本実施形態のように２次元で構成されたリングカウンタ回路１８０を、図１のリングカウンタ回路１００に適用することで、Ｍ＋ｉ＋ｊ個のフリップフロップで、Ｎ（Ｎ＝ｉ×ｊ）×Ｍ本の走査線駆動信号を生成することができる。
【００４０】
なお、図５に示すように、リングカウンタ回路１００内のリングカウンタには冗長なフリップフリップが含まれていてもよいため、本実施形態において、第１のリングカウンタ１３０は冗長なフリップフロップを１個有していてもよい。この場合、出力部２１０の総数は変わらないため、図８における行方向に配置された出力部２１０のうちの１個を省略すればよい。これにより、（ｉ＋１）＋ｊ個のフリップフロップでｉ×ｊの個数の信号を出力するリングカウンタ回路１８０を構成することができる。なお、第１のリングカウンタ１３０におけるフリップフロップの冗長数を２個以上にしてもよい。
【００４１】
また、本実施形態のリングカウンタ回路１８０を、図６に示すリングカウンタ回路１１０に適用した場合、制御信号ＦＲに応じて、リングカウンタ回路１８０の出力Ｃの出力順を反転させるような構成とすればよい。
【００４２】
また、本実施形態のリングカウンタ回路１８０を、図７に示すリングカウンタ回路１００に適用した場合、リセット回路１４０によって、第１および第２のリングカウンタ１３０，１７０の両方をリセットすればよい。
【００４３】
また、本実施形態では、リングカウンタ回路１８０を２つのリングカウンタ１３０，１７０で構成したが、リングカウンタ回路１８０を、３つ以上のリングカウンタ（例えば、第１〜第３のリングカウンタ）で構成することは容易である。この場合、第１〜第３のリングカウンタはそれぞれ、異なる周波数のクロック信号に同期して動作する。そして、出力部２１０において、第１〜第３のリングカウンタのそれぞれの１つの出力を論理演算すればよい。この場合、その論理演算の結果が、リングカウンタ回路１８０の１つの出力となる。これによると、リングカウンタ回路に使用されるフリップフロップの個数は、リングカウンタ回路の出力数の累乗根のオーダーとなる。
【００４４】
また、上記各実施形態において、各構成要素は上述した信号と逆論理の信号で動作してもよい。
【産業上の利用可能性】
【００４５】
本発明に係る表示パネル駆動装置は、回路面積の縮小化が可能であるため、各種フラットパネルディスプレイ搭載のテレビ装置に有用である。
【符号の説明】
【００４６】
１０，１１，１２            表示パネル駆動装置
１００，１１０，１８０      リングカウンタ回路
１３０                      第１のリングカウンタ
１７０                      第２のリングカウンタ
１０４                      分周回路
１１１＿１〜１１１＿Ｎ      出力端
１１２＿１〜１１２＿Ｎ      出力端
１１３                      接続切替部
１４０                      リセット回路
１５０，１６０              シフトレジスタ
２００，２１０              出力部
【手続補正２】
【補正対象書類名】特許請求の範囲
【補正対象項目名】全文
【補正方法】変更
【補正の内容】
【特許請求の範囲】
【請求項１】
縦列接続された複数のフリップフロップを有し、初段のフリップフロップが初期信号でセットされ、第１のクロック信号に同期して動作する第１のリングカウンタを有し、前記複数のフリップフロップの出力を用いた信号を出力するリングカウンタ回路と、
縦列接続された複数のフリップフロップを有し、初段のフリップフロップが前記初期信号でセットされ、前記第１のクロック信号よりも低い周波数の第２のクロック信号に同期して動作するシフトレジスタと、
前記リングカウンタ回路のいずれか１つの出力と前記シフトレジスタのいずれか１つの出力とを論理演算して、表示パネルの走査線駆動信号を生成する出力部とを備えている
ことを特徴とする表示パネル駆動装置。
【請求項２】
請求項１の表示パネル駆動装置において、
前記第１のクロック信号を分周して前記第２のクロック信号を生成する分周回路を備えている
ことを特徴とする表示パネル駆動装置。
【請求項３】
請求項１の表示パネル駆動装置において、
前記第２のクロック信号は、前記第１のリングカウンタにおけるいずれか１つのフリップフロップの出力である
ことを特徴とする表示パネル駆動装置。
【請求項４】
請求項１の表示パネル駆動装置において、
前記第１のリングカウンタおよび前記シフトレジスタはそれぞれ、共通の制御信号に応じて初段のフリップフロップおよびシフト方向が切り替え可能に構成されている
ことを特徴とする表示パネル駆動装置。
【請求項５】
請求項１の表示パネル駆動装置において、
前記リングカウンタ回路は、制御信号に応じて、前記複数のフリップフロップの各出力端と当該リングカウンタ回路の各出力端とをストレート接続するかリバース接続するかを切り替える接続切替部を有するものであり、
前記シフトレジスタは、前記制御信号に応じて初段のフリップフロップおよびシフト方向が切り替え可能に構成されている
ことを特徴とする表示パネル駆動装置。
【請求項６】
請求項１の表示パネル駆動装置において、
前記シフトレジスタは、制御信号に応じて、前記複数のフリップフロップの各出力端と当該シフトレジスタの各出力端とをストレート接続するかリバース接続するかを切り替える接続切替部を有するものであり、
前記第１のリングカウンタは、前記制御信号に応じて初段のフリップフロップおよびシフト方向が切り替え可能に構成されている
ことを特徴とする表示パネル駆動装置。
【請求項７】
請求項１の表示パネル駆動装置において、
前記リングカウンタ回路は、制御信号に応じて、前記複数のフリップフロップの各出力端と当該リングカウンタ回路の各出力端とをストレート接続するかリバース接続するかを切り替える接続切替部を有するものであり、
前記シフトレジスタは、前記制御信号に応じて、前記複数のフリップフロップの各出力端と当該シフトレジスタの各出力端とをストレート接続するかリバース接続するかを切り替える接続切替部を有するものである
ことを特徴とする表示パネル駆動装置。
【請求項８】
請求項１の表示パネル駆動装置において、
前記第１のリングカウンタをリセットするリセット回路を備えている
ことを特徴とする表示パネル駆動装置。
【請求項９】
請求項１乃至８のうちいずれか１つの表示パネル駆動装置において、
前記リングカウンタ回路は、
縦列接続された複数のフリップフロップを有し、初段のフリップフロップが前記初期信号でセットされ、前記第１のクロック信号よりも低い周波数の第３のクロック信号に同期して動作する第２のリングカウンタと、
前記第１のリングカウンタのいずれか１つの出力と、前記第２のリングカウンタのいずれか１つの出力とを論理演算して、当該リングカウンタ回路の出力を生成する出力部とを有している
ことを特徴とする表示パネル駆動装置。
【請求項１０】
請求項１乃至８のうちいずれか１つの表示パネル駆動装置において、
前記リングカウンタ回路は、それぞれ異なる周波数のクロック信号に同期して動作する、前記第１のリングカウンタを含む、複数のリングカウンタを有するものであり、前記複数のリングカウンタのそれぞれのいずれか１つの出力を論理演算し、その論理演算結果を、当該リングカウンタ回路のいずれか１つの出力とする
ことを特徴とする表示パネル駆動装置。
【手続補正３】
【補正対象書類名】図面
【補正対象項目名】全図
【補正方法】変更
【補正の内容】
【図１】
2012014361.tif 000012
【図２】
2012014361.tif 000013
【図３】
2012014361.tif 000014
【図４】
2012014361.tif 000015
【図５】
2012014361.tif 000016
【図６】
2012014361.tif 000017
【図７】
2012014361.tif 000018
【図８】
2012014361.tif 000019
【図９】
2012014361.tif 000020
【国際調査報告】
2012014361.tif 000021
2012014361.tif 000022
2012014361.tif 000023
2012014361.tif 000024